(57)【特許請求の範囲】
【請求項１】
手帳類の表紙内面側に、筆記具の軸保持部と、筆記具の先端側保持部とを設け、
前記先端側保持部は、筆記具の先端側を差し込み可能な穴を有するループ状の帯状体により構成されているとともに、前記表紙又はカバーの内面に沿って倒伏した位置と、前記内面から立ち上る起立位置との間で屈曲変形可能に設けられていることを特徴とする手帳類における筆記具の保持構造。
【請求項２】
手帳類を開閉可能に保持するカバーの内面側に、筆記具の軸保持部と、筆記具の先端側保持部とを設け、
前記先端側保持部は、筆記具の先端側を差し込み可能な穴を有するループ状の帯状体により構成されているとともに、前記表紙又はカバーの内面に沿って倒伏した位置と、前記内面から立ち上る起立位置との間で屈曲変形可能に設けられていることを特徴とする手帳類における筆記具の保持構造。
【請求項３】
手帳類の表紙内面側に、筆記具の軸保持部と、筆記具の先端側保持部とを設け、
前記先端側保持部には、筆記具の先端を通過させる穴が形成され、常時は、この穴が筆記具の軸線と交差する位置に設けられていることを特徴とする手帳類における筆記具の保持構造。
【請求項４】
手帳類を開閉可能に保持するカバーの内面側に、筆記具の軸保持部と、筆記具の先端側保持部とを設け、
前記先端側保持部には、筆記具の先端を通過させる穴が形成され、常時は、この穴が筆記具の軸線と交差する位置に設けられていることを特徴とする手帳類における筆記具の保持構造。
【請求項５】
前記軸保持部と先端側保持部とは、前記表紙又はカバーの面内に設けられていることを特徴とする請求項１ないし４の何れかに記載の手帳類における筆記具の保持構造。
【発明の詳細な説明】
【０００１】
【発明の属する技術分野】
本発明は、手帳類における筆記具の保持構造に係り、更に詳しくは、表紙又はカバーの内面側に筆記具を一体的に保持することができる手帳類における筆記具の保持構造に関する。
【０００２】
【従来の技術】
従来より、手帳等の端部に筆記具を一体的に保持可能とする保持構造が広く知られている。この保持構造としては、例えば、手帳の表紙或いはカバーの外縁側に環状の保持部材を設けるとともに、この保持部材に筆記具の軸部分を挿入して当該筆記具を保持可能なものが存在する。前記保持部材における筆記具の保持作業は、通常、筆記具の先端側から前記ループ内に挿入させて軸部分の中間領域を保持させることにより行われる。
【０００３】
【発明が解決しようとする課題】
しかしながら、このような保持部材にあっては、筆記具の先端側が露出した状態で保持されているので、手帳をかばん等に収納して持ち運ぶ際に、当該先端側がかばんの内側や他の収納物等にぶつかって損傷してしまうという不都合を生じる。また、筆記具の先端側が手帳の端部より大きく突出してしまう場合が多く、これにより、手帳の持ち運びに際して邪魔になったり、他の書類を汚してしまうという不都合も招来する。更に、筆記具の軸方向移動を規制する手段が保持部材に何ら施されていないため、クリップを有しない筆記具の場合には、当該筆記具が意図することなく脱落し、これにより、筆記具が損傷したり、紛失したりするという不都合もある。
【０００４】
【発明の目的】
本発明は、このような不都合に着目して案出されたものであり、その目的は、手帳類に保持された筆記具の先端側を保護することができ、且つ、不用意なる脱落を防止することができる手帳類における筆記具の保持構造を提供することにある。
【０００５】
【課題を解決するための手段】
前記目的を達成するため、本発明は、手帳類の表紙内面側に、筆記具の軸保持部と、筆記具の先端側保持部とを設け、
前記先端側保持部は、筆記具の先端側を差し込み可能な穴を有するループ状の帯状体により構成されているとともに、前記表紙又はカバーの内面に沿って倒伏した位置と、前記内面から立ち上る起立位置との間で屈曲変形可能に設けられる、という構成が採用されている。このような構成によれば、筆記具の軸部分と先端側とが表紙の内面側において保持されるので、筆記具が不用意に脱落してしまう虞を少なくして安定的な保持が可能となるばかりでなく、従来例のように筆記具の先端側が損傷してしまう虞を防止することができる。しかも、手帳の携帯時において、指やかばん等が筆記具の先端側に接触してしまう領域をなくせるようになり、筆記具の先端をより一層確実に保護することができる。また、筆記具を手帳類に保持する必要のない場合には、前記保持部を表紙の内面に沿うように倒伏させておくことができるため、先端側保持部の存在が邪魔に感じることなく手帳を携帯或いは使用することが可能となる。
また、本発明は、手帳類の表紙内面側に、筆記具の軸保持部と、筆記具の先端側保持部とを設け、
前記先端側保持部には、筆記具の先端を通過させる穴が形成され、常時は、この穴が筆記具の軸線と交差する位置に設けられる、という構成も採用される。このような構成によれば、軸保持部に筆記具を保持させると同時に、先端側保持部に筆記具の先端側を保持させることができ、筆記具の手帳への装着作業をスムースに行うことができる。
ここで、前記軸保持部及び先端側保持部は、手帳類を開閉可能に保持するカバーの内面側に設けてもよく、これによっても、前記表紙の場合と同様の効果、作用を得ることができる。
【０００６】
【発明の実施の形態】
本発明における前記軸保持部と先端側保持部とは、表紙又はカバーの面内に設けられる、という構成を採用することが好ましい。このような構成を採れば、筆記具の先端側が手帳類の表紙又はカバーの端部よりはみ出ることがないので、筆記具を邪魔に感じることなく手帳を携帯することができる他、他の書類を汚してしまう虞を回避することができる。
【０００９】
なお、本明細書において、「手帳」とは、メモ用紙、ノートをも含む概念として用いられる。また、本明細書における方向若しくは位置的用語は、特に明示しない限り、図３（Ａ）を基準として用いるものとする。
【００１０】
【実施例】
以下、本発明の実施例を図面を参照しながら説明する。
【００１１】
図１には、本実施例に係る手帳の概略斜視図が示され、図２には、前記手帳のカバーを開放した状態の概略斜視図が示されている。これらの図において、手帳１０は、複数枚の筆記用紙を綴じ込んでなるメモ帳１１と、このメモ帳１１を開閉可能に保持するカバー１２とを備えて構成され、このカバー１２の内側でメモ帳１１の側端側に筆記具Ｐを一体的に保持するようになっている。
【００１２】
前記カバー１２は、閉塞姿勢としたときに、メモ帳１１全体を覆うことが可能な程度の大きさに設けられている。カバー１２は、図２に示されるように、中間に背部材１４を介して屈曲可能に連なる表部材１５及び裏部材１６と、裏部材１６の内面側に設けられるとともに、メモ帳１１の裏表紙１１Ａを受容可能に設けられたポケット１７と、裏部材１６の面内に設けられるとともに、筆記具Ｐの軸部分Ｐ１を保持する軸保持部１９及び筆記具Ｐの先端Ｐ２側を保持する先端側保持部２０とを備えて構成されている。
【００１３】
前記軸保持部１９は、特に限定されるものでないが、本実施例では、比較的軟らかい材質のゴムバンドを用いて構成されている。軸保持部１９は、図２に示されるように、裏部材１６の図２中側端１６Ａ側から延びて当該裏部材１６の面内に固定されるとともに、筆記具Ｐの軸線と略同一の軸線に開通するループ構造となっており、このループの内部に筆記具Ｐを挿入したときに、当該筆記具Ｐの軸部分Ｐ１の外周面を締め付け可能に設けられている。
【００１４】
前記先端側保持部２０は、本実施例では、一枚の皮革や軟質の樹脂材等の帯状体により構成されている。この先端側保持部２０は、図２に示されるように、裏部材１６の自由端側すなわち左端側であって軸保持部１９とともに裏部材１６の側端１６Ａに沿う位置に設けられるとともに、筆記具Ｐの先端Ｐ２側を回るループ状に形成されている。先端側保持部２０の左側基端２１及び右側基端２２は、図３（Ａ）に示されるように、筆記具Ｐの差し込み方向に沿って所定間隔をおいてそれぞれ固定されている。また、先端側保持部２０の裏部材１６への装着方法は、左側基端２１を右方向に向けて裏部材１６の内面に固定し、先端側保持部２０の中央部分を折り返すようにして右側基端２２を右方向に向けた後、当該右側右端２２を裏部材１６の内面に固定することにより装着される。従って、先端側保持部２０は、カバー１２を開放したときに、その材質による弾性力又は復帰力により裏部材１６の内面側から立ち上る起立姿勢となって閉ループを形成する一方、カバー１２を閉塞したときに、図４に示されるように、表部材１５及び裏部材１６に挟まれて裏部材１６の内面に沿う倒伏姿勢となるように設けられている。ここで、先端側保持部２０の面内には穴２４が設けられている。
【００１５】
前記穴２４は、図３（Ａ）及び（Ｂ）に示されるように、先端側保持部２０の右側基端２２寄りの位置に形成されるとともに、筆記具Ｐの先端Ｐ２側の通過を許容可能な略丸穴状に設けられている。この穴２４は、カバー１２を開放したときに、傾斜して左右に開通する姿勢となり、筆記具Ｐの軸線と交わるようになっている。
【００１６】
以上の構成において、筆記具Ｐの軸保持部１９及び先端側保持部２０への保持作業は、図３（Ａ）に示されるように、筆記具Ｐの先端Ｐ２を軸保持部１９の右側から差し込んだ後、当該先端Ｐ２を穴２４に挿入して先端側保持部２０の内側に受容させることにより行われる。この際、筆記具Ｐは、図３（Ｂ）に示されるように、先端Ｐ２が先端側保持部２０の内周面に当接して差し込み方向の移動が規制されることとなる。また、穴２４は、軸保持部１９側すなわち図３（Ａ）中右側に向けられているので、前記差し込み方向の移動だけで先端Ｐ２を無理なく挿入させることが可能となる。
【００１７】
また、カバー１２に筆記具Ｐ及びメモ帳１１を保持することなく当該カバー１２を閉塞姿勢とする場合、図４に示されるように、軸保持部１９が押し潰されると同時に先端側保持部２０が倒伏して二枚厚となり、手帳１０全体の側端領域が部分的に膨らむことがないようになっている。
【００１８】
従って、このような実施例によれば、筆記具Ｐを軸保持部１９及び先端側保持部２０に差し込む場合、先端Ｐ２が先端側保持部２０の内周面側に接触して筆記具Ｐの差し込み方向への移動が規制されるので、クリップ等の引っ掛かり手段を有しない筆記具Ｐを勢い良く差し込んで抜け落ちてしまうことを防止することができる。また、筆記具Ｐの先端Ｐ２がシャープペンシル（繰り出し筆記具）等の比較的尖った形状のものであっても、先端側保持部２０がキャップに近似した作用、効果を発揮するので、指先等が触れる領域をなくすことができ、安全性を担保することが可能となる。
【００１９】
なお、前記実施例において、軸保持部１９及び先端側保持部２０をカバー１２の面内に設けた場合を図示、説明したが、本発明は、これに限定されるものでなく、メモ帳等の表紙の内面側に設けてもよい。この場合、表表紙及び裏表紙の側端側がメモ帳の側端よりも外側に一定量突出させればよい。要するに、本発明は、筆記具Ｐを表紙或いはカバーの内面側において保持する構造であれば足りる。
【００２０】
【発明の効果】
以上説明したように、本発明は、手帳類の表紙或いはカバーの内面側に筆記具の軸保持部と、先端側保持部とを設けたから、筆記具の安定した保持を実現することができ、且つ、従来のような筆記具の先端が露出した状態となることを防止して筆記具の先端側を保護することが可能となる。
【００２１】
また、軸保持部及び先端側保持部は、表紙又はカバーの面内に設けられているから、筆記具の先端が表紙又はカバーの端部からはみ出すことを防止して先端を保護することができるばかりでなく、手帳をかばん等に収納して持ち運ぶ場合に有利となる。
【００２２】
更に、先端側保持部は屈曲変形可能なループ状に設けられているから、筆記具の先端側に接触する領域をなくして当該先端を確実に保護することができるばかりでなく、筆記具を保持しないときに、先端側保持部を折り畳むことにより手帳の大きさをコンパクトにすることが可能となる。
【００２３】
また、先端側保持部には、筆記具の先端を通過させる穴が設けられているから、筆記具を軸保持部に保持させると同時に筆記具の先端側を先端側保持部に無理なく装着することができる。
【図面の簡単な説明】
【図１】本実施例に係る手帳が筆記具を保持した状態の概略斜視図。
【図２】前記手帳のカバーを開放した状態の概略斜視図。
【図３】（Ａ）及び（Ｂ）は、軸保持部及び先端側保持部に筆記具を保持させる作業要領を示す要部概略正面断面図。
【図４】図１の手帳のメモ帳及び筆記具を取り外した概略正面図。
【符号の説明】
１０  手帳
１２  カバー
１９  軸保持部
２０  先端側保持部
２４  穴
Ｐ  筆記具
【図１】
0003664017.tif 000002
【図２】
0003664017.tif 000003
【図３】
0003664017.tif 000004
【図４】
0003664017.tif 000005